(57)【要約】      （修正有）【課題】加飾シートを用いてインサート成形する際に、加飾シートの位置決めが簡単かつ正確であり、曲面への加飾が可能な樹脂成形品の製造方法を提供する。【解決手段】樹脂成形品の一面を加飾する樹脂成形品１０の製造方法であって、加飾フィルム２および保護フィルム３を有する加飾シート１を用意する工程、前記加飾シートをキャビティ５およびコア６を有する金型に配置し、前記加飾シートを前記キャビティの凹部５１内の挟持部２２に配置する工程、前記キャビティと前記コアとを組み合わせる工程であって、前記コアの凸部６１を前記凹部内に挿入し、前記凹部と前記凸部とで前記加飾シートの挟持部を挟んで固定する、工程、および、前記金型内に樹脂を射出してインサート成形する工程、前記金型から前記樹脂成形品を取り出す工程を含み、前記保護フィルムをはがすことにより、前記加飾部によって前記樹脂成形品の表面の加飾が行われている。【選択図】図６
2020185745.tif 000002
【特許請求の範囲】
【請求項１】
加飾シートを用いてインサート成形することによって、樹脂成形品の一面を加飾する樹脂成形品の製造方法であって、
加飾部と前記加飾部の周囲に位置する挟持部とを有し、加飾部と挟持部を分離する切り込みが形成されている加飾フィルムと、前記加飾フィルムの加飾面に付着された保護フィルムを有する加飾シートを用意する工程と、
前記加飾シートをキャビティおよびコアを有する金型に配置し、前記キャビティには凹部が設けられており、前記凹部内に前記加飾シートを保持する保持部が設けられており、前記加飾シートを、前記保護フィルムが内側となるように、前記保持部に配置する工程と、
前記コアには前記凹部内に挿入される凸部が設けられており、前記凸部には樹脂成形品を成形する成形部が設けられており、前記凹部内に前記凸部を挿入し、前記キャビティの保持部と前記コアの凸部とで前記加飾シートの前記挟持部を挟んで固定する工程と、
前記金型内に樹脂を射出して樹脂成形品をインサート成形する工程と、
前記金型から前記樹脂成形品を取り出す工程とを含み、
前記保護フィルムをはがすことにより、前記加飾部によって前記樹脂成形品の表面の加飾が行われることを特徴とする樹脂成形品の製造方法。
【請求項２】
前記キャビティの保持部には前記加飾部に対応する部分に凹状の曲面を設け、前記樹脂成形品の表面を凸状の曲面に形成し、前記樹脂成形品の曲面の表面を前記加飾部によって加飾することを特徴とする請求項１に記載の樹脂成形品の製造方法。
【請求項３】
前記加飾シートの加飾部の平面形状が、円形または楕円形であることを特徴とする請求項１または２に記載の樹脂成形品の製造方法。
【請求項４】
加飾シートを用いてインサート成形することによって、樹脂成形品の一面を加飾する樹脂成形品の製造方法であって、
加飾部と前記加飾部の周囲に位置する挟持部とを有し、加飾部と挟持部を分離する切り込みが形成されている加飾フィルムと、前記加飾フィルムの加飾面に付着された保護フィルムを有する加飾シートを用意する工程と、
前記加飾シートをコアおよびキャビティを有する金型に配置し、前記コアには凹部が設けられ、前記凹部内に前記樹脂成形品を成形する成形部および前記加飾シートを保持する保持部が設けられており、前記加飾シートを、前記保護フィルムが外側となるように、前記保持部に配置する工程と、
前記キャビティには前記凹部内に挿入される凸部が設けられており、前記凹部内に前記凸部を挿入し、前記コアの保持部と前記キャビティの凸部とで前記加飾シートの前記挟持部を挟んで固定する工程と、
前記金型内に樹脂を射出して樹脂成形品をインサート成形する工程と、
前記金型から前記樹脂成形品を取り出す工程とを含み、
前記保護フィルムをはがすことにより、前記加飾部によって前記樹脂成形品の表面の加飾が行われることを特徴とする樹脂成形品の製造方法。
【請求項５】
前記コアの保持部には前記加飾部に対応する部分に凹状の曲面を設け、前記樹脂成形品の表面を凸状の曲面を形成し、前記樹脂成形品の曲面の表面を前記加飾部によって加飾することを特徴とする請求項４に記載する樹脂成形品の製造方法。
【請求項６】
前記加飾シートの加飾部の平面形状が、円形または楕円形であることを特徴とする請求項４または５に記載の樹脂成形品の製造方法。
【発明の詳細な説明】
【技術分野】
【０００１】
本発明は、加飾シートを用いてインサート成形することによって、樹脂成形品の一面を加飾する樹脂成形品の製造方法に関する。
【背景技術】
【０００２】
加飾フィルムを用いて、樹脂成形品の成形と同時に加飾を行う方法として、主にインモールド成形とインサート成形の２種類の成形方法が用いられている。インモールド成形は、金型でロール状の加飾フィルムを挟み込んだ状態で、樹脂を射出し射出成形を行うことにより、樹脂成形品の表面に転写する（特許文献１参照）。インモールド成形は、樹脂成形品からはみ出した加飾フィルムは箔バリとなるので箔バリを除去する工程が必要であり、また、ロール状の加飾フィルムを金型で挟み込むことから位置ずれが生じるという問題がある。
【０００３】
インサート成形は、所定の形状にカット加工した加飾シートを金型内に入れ、金型内に樹脂を射出して成形することによって、樹脂成形品の表面に加飾シートを一体化させる方法である（特許文献２参照）。インサート成形は、インモールド成形と比べて、箔バリの問題が無く、位置ずれが生じ難くはなるが、加飾シートをカット加工する際に発生する切り粉や加飾シート表面へのごみなどの付着、加飾シートの形状が円形の場合だと位置決めが難しいという問題があり、加飾シートと金型との間に樹脂が流れ込む、あるいは、加飾シートがずれるという問題もあり、特に曲面への加飾が困難であった。
【先行技術文献】
【特許文献】
【０００４】
【特許文献１】特開２０１４−１７２１９６号公報
【特許文献２】特開２０１３−１８４２９４号公報
【発明の概要】
【発明が解決しようとする課題】
【０００５】
本発明は、加飾シートを用いてインサート成形する際に、加飾シートの位置決めが簡単かつ正確であり、製造時の加飾シート表面へのごみなどの付着および破損を防止し、さらに、樹脂を射出した際の加飾シートの位置ずれなどを防止し、樹脂成形品の曲面への加飾が可能な樹脂成形品の製造方法を提供することを目的とする。
【課題を解決するための手段】
【０００６】
本発明の樹脂成形品の製造方法は、加飾シートを用いてインサート成形することによって、樹脂成形品の一面を加飾する樹脂成形品の製造方法であって、加飾部と前記加飾部の周囲に位置する挟持部とを有し、加飾部と挟持部を分離する切り込みが形成されている加飾フィルムと、前記加飾フィルムの加飾面に付着された保護フィルムを有する加飾シートを用意する工程と、前記加飾シートをキャビティおよびコアを有する金型に配置し、前記キャビティには凹部が設けられており、前記凹部内に前記加飾シートを保持する保持部が設けられており、前記加飾シートを、前記保護フィルムが内側となるように、前記保持部に配置する工程と、前記コアには前記凹部内に挿入される凸部が設けられており、前記凸部には樹脂成形品を成形する成形部が設けられており、前記凹部内に前記凸部を挿入し、前記キャビティの保持部と前記コアの凸部とで前記加飾シートの前記挟持部を挟んで固定する工程と、前記金型内に樹脂を射出して樹脂成形品をインサート成形する工程と、前記金型から前記樹脂成形品を取り出す工程とを含み、前記保護フィルムをはがすことにより、前記加飾部によって前記樹脂成形品の表面の加飾が行われることを特徴とする。
【０００７】
前記キャビティの保持部には前記加飾部に対応する部分に、凹状の曲面を設け、前記樹脂成形品の表面を凸状の曲面に形成し、前記樹脂成形品の曲面の表面を前記加飾部によって加飾することも可能である。
【０００８】
前記加飾シートの加飾部の平面形状を、円形または楕円形とすることができる。
【０００９】
本発明の樹脂成形品の別の形態の製造方法は、加飾シートを用いてインサート成形することによって、樹脂成形品の一面を加飾する樹脂成形品の製造方法であって、加飾部と前記加飾部の周囲に位置する挟持部とを有し、加飾部と挟持部を分離する切り込みが形成されている加飾フィルムと、前記加飾フィルムの加飾面に付着された保護フィルムを有する加飾シートを用意する工程と、前記加飾シートをコアおよびキャビティを有する金型に配置し、前記コアには凹部が設けられ、前記凹部内に前記樹脂成形品を成形する成形部および前記加飾シートを保持する保持部が設けられており、前記加飾シートを、前記保護フィルムが外側となるように、前記保持部に配置する工程と、前記キャビティには前記凹部内に挿入される凸部が設けられており、前記凹部内に前記凸部を挿入し、前記コアの保持部と前記キャビティの凸部とで前記加飾シートの前記挟持部を挟んで固定する工程と、前記金型内に樹脂を射出して樹脂成形品をインサート成形する工程と、前記金型から前記樹脂成形品を取り出す工程とを含み、前記保護フィルムをはがすことにより、前記加飾部によって前記樹脂成形品の表面の加飾が行われることを特徴とする。
【００１０】
前記コアの保持部には前記加飾部に対応する部分に凹状の曲面を設け、前記樹脂成形品の表面を凸状の曲面を形成し、前記樹脂成形品の曲面の表面を前記加飾部によって加飾することも可能である。
【００１１】
前記加飾シートの加飾部の平面形状を、円形または楕円形とすることができる。
【発明の効果】
【００１２】
本発明の樹脂成形品の製造方法は、加飾シートを用いてインサート成形することによって、樹脂成形品の一面を加飾する樹脂成形品の製造方法であって、加飾部と前記加飾部の周囲に位置する挟持部とを有し、加飾部と挟持部を分離する切り込みが形成されている加飾フィルムと、前記加飾フィルムの加飾面に付着された保護フィルムを有する加飾シートを用意する工程と、前記加飾シートをキャビティおよびコアを有する金型に配置し、前記キャビティには凹部が設けられており、前記凹部内に前記加飾シートを保持する保持部が設けられており、前記加飾シートを、前記保護フィルムが内側となるように、前記保持部に配置する工程と、前記コアには前記凹部内に挿入される凸部が設けられており、前記凸部には樹脂成形品を成形する成形部が設けられており、前記凹部内に前記凸部を挿入し、前記キャビティの保持部と前記コアの凸部とで前記加飾シートの前記挟持部を挟んで固定する工程と、前記金型内に樹脂を射出して樹脂成形品をインサート成形する工程と、前記金型から前記樹脂成形品を取り出す工程とを含み、前記保護フィルムをはがすことにより、前記加飾部によって前記樹脂成形品の表面の加飾が行われた状態となるので、前記加飾シートの位置決めが簡単に、かつ、正確に行うことができるようになり、前記樹脂成形品の表面に、位置ずれ、または、皺などを生じることなく綺麗に加飾することが可能となり、さらに、加飾シートをカット加工する際に発生する切り粉や加飾シート表面へのごみなどの付着および損傷が少なくなって歩留まりが向上することで、加飾された樹脂成形品の製造コストを低減することができるようになる。
【００１３】
前記キャビティの保持部には前記加飾部に対応する部分に、凹状の曲面を設け、前記樹脂成形品の表面を凸状の曲面に形成し、前記樹脂成形品の曲面の表面を前記加飾部によって加飾することにより、前記樹脂成形品の表面に、位置ずれ、または、皺などを生じることなく加飾することが可能となる。
【００１４】
本発明の樹脂成形品の別の形態の製造方法は、加飾シートを用いてインサート成形することによって、樹脂成形品の一面を加飾する樹脂成形品の製造方法であって、加飾部と前記加飾部の周囲に位置する挟持部とを有し、加飾部と挟持部を分離する切り込みが形成されている加飾フィルムと、前記加飾フィルムの加飾面に付着された保護フィルムを有する加飾シートを用意する工程と、前記加飾シートをコアおよびキャビティを有する金型に配置し、前記コアには凹部が設けられ、前記凹部内に前記樹脂成形品を成形する成形部および前記加飾シートを保持する保持部が設けられており、前記加飾シートを、前記保護フィルムが外側となるように、前記保持部に配置する工程と、前記キャビティには前記凹部内に挿入される凸部が設けられており、前記凹部内に前記凸部を挿入し、前記コアの保持部と前記キャビティの凸部とで前記加飾シートの前記挟持部を挟んで固定する工程と、前記金型内に樹脂を射出して樹脂成形品をインサート成形する工程と、前記金型から前記樹脂成形品を取り出す工程とを含み、前記保護フィルムをはがすことにより、前記加飾部によって前記樹脂成形品の表面の加飾が行われた状態となるので、前記加飾シートの位置決めが簡単に、かつ、正確に行うことができるようになり、前記樹脂成形品の表面に、位置ずれ、または、皺などを生じることなく綺麗に加飾することが可能となり、さらに、加飾シートをカット加工する際に発生する切り粉や加飾シート表面へのごみなどの付着および損傷が少なくなって歩留まりが向上することで、加飾された樹脂成形品の製造コストを低減することができるようになる。
【００１５】
前記コアの保持部には前記加飾部に対応する部分に、凹状の曲面を設け、前記樹脂成形品の表面を凸状の曲面に形成し、前記樹脂成形品の曲面の表面を前記加飾部によって加飾することにより、前記樹脂成形品の表面に、位置ずれ、または、皺などを生じることなく加飾することが可能となる。
【００１６】
前記加飾シートの加飾部の平面形状を、円形または楕円形とすることにより、前記加飾シートのずれを防止し、さらに、前記加飾シートの位置決めを容易にすることができる。
【図面の簡単な説明】
【００１７】
【図１】本発明の第１の実施形態の樹脂成形品の製造方法に使用する加飾シートの斜視図である。
【図２】第１の実施形態で使用する加飾シートの断面図である。
【図３】第１の実施形態で使用するキャビティの斜視図である。
【図４】第１の実施形態で使用するコアの斜視図である。
【図５】第１の実施形態の樹脂成形品の製造方法の工程を示す断面図である。
【図６】第１の実施形態の樹脂成形品の製造方法の工程を示す断面図である。
【図７】第１の実施形態の樹脂成形品の製造方法の工程を示す断面図である。
【図８】第１の実施形態で製造した樹脂成形品から加飾シートを取り外す前の斜視図である。
【図９】第１の実施形態で製造した樹脂成形品から加飾シートを取り外した後の斜視図である。
【図１０】第２の実施形態で使用するコアの斜視図である。
【図１１】第２の実施形態で使用するキャビティの斜視図である。
【図１２】第２の実施形態の樹脂成形品の製造方法の工程を示す断面図である。
【図１３】第２の実施形態の樹脂成形品の製造方法の工程を示す断面図である。
【図１４】第２の実施形態の樹脂成形品の製造方法の工程を示す断面図である。
【発明を実施するための形態】
【００１８】
本発明の樹脂成形品の製造方法について、図面を参照しながら以下に詳細に説明する。最初に、本発明の第１の実施形態の樹脂成形品の製造方法について説明するが、第１の実施形態で使用する加飾シート１から説明する。図１に示すのが、本発明の第１の実施形態の樹脂成形品の製造方法に使用する加飾シート１の斜視図であり、図２が断面図である。第１の実施形態の樹脂成形品の製造方法の説明は、樹脂成形品１０として円形の蓋を用いて説明し、前記蓋の表面に加飾を施す場合について説明する。樹脂成形品の用途、形状、加飾する場所については、特に限定するものではなく、本発明は、様々な用途、形状の樹脂成形品に適用することが可能であり、加飾する面については、樹脂成形品の一面であれば表面に限定するものではない。
【００１９】
第１の実施形態の樹脂成形品の製造方法に使用する加飾シート１は、樹脂成形品１０である蓋の表面を加飾するためのシートであって、図１に示すように、加飾フィルム２および保護フィルム３から構成されている。前記加飾フィルム２は、図１に示すように、樹脂成形品１０の加飾部分に合わせた円形の加飾部２１、前記加飾部２１の周囲に位置し、矩形の輪郭を有する挟持部２２から構成されており、前記加飾部２１と前記挟持部２２とは環状の切り込み２３によって分離されている。
【００２０】
前記加飾フィルム２は、一面に印刷などによって加飾が施された加飾面を有するフィルムであって、少なくとも前記加飾部２１だけに加飾が施されていればよく、場合によっては前記挟持部２２にも加飾が施されていてもよい。前記加飾部２１の形状は円形に限定するものではなく、樹脂成形品１０の加飾部分に合わせた形状であればよく、楕円形とすることも可能であり、その他にも様々な形状とすることができる。また、前記加飾部２１の加飾方法についても限定するものではなく、従来の様々な手段を用いることができる。
【００２１】
前記切り込み２３は、前記樹脂成形品１０の加飾部分の形状に合わせて、前記加飾フィルム２をカットしたラインであり、前記切り込み２３を前記加飾フィルム２に設けておくことにより、前記樹脂成形品１０を成形した後、前記加飾部２１を前記樹脂成形品１０の表面に残した状態で、簡単に前記加飾シート１を前記樹脂成形品１０から取り外すことができる。
【００２２】
前記保護フィルム３は一面が粘着面となっており、前記粘着面に前記加飾フィルム２が付着されている。前記保護フィルム３の粘着力は、前記加飾フィルム２を保持し、樹脂成形品１０を成形後、前記加飾部２１を残した状態で前記加飾シート１を取り外すことができる粘着力があればよく、前記保護フィルム３として、一般的な粘着フィルムを用いることができる。前記保護フィルム３は、例えば、ポリエチレン系のフィルムの一面に粘着面を設けたものを用いることができるが、特に材質を限定するものではなく、様々なフィルムを用いることができ、透明、半透明、または、不透明でもよい。樹脂成形品の表面が平坦ではない場合は、射出成形の際に前記保護フィルム３が変形する必要があることから、この場合、変形しやすい材質を用いることが好ましい。
【００２３】
前記加飾シート１は、前記加飾フィルム２の加飾面に前記保護フィルム３を付着させていることにより、前記樹脂成形品１０の成形が完了するまで、加飾面を保護することができ、前記加飾フィルム２の表面にごみなどが付着することや、表面を損傷することといった不具合を防ぐことができる。従来のような製造過程において生じる加飾フィルムの不具合による歩留まりを向上させることができ、製造コストの低減が可能となる。
【００２４】
次に、第１の実施形態の樹脂成形品の製造方法に使用する金型について説明する。前記金型は、キャビティ５およびコア６から構成されている。前記キャビティ５は、図３に示すように、前記加飾シート１を挿入し配置するための凹部５１が設けられている。前記凹部５１は、前記加飾シート１を挿入し、前記キャビティ５に対して所定の位置に配置するために設けられていることから、前記加飾シート１と同じ平面形状を有している。前記凹部５１に前記加飾シート１を保持する保持部５２、および、前記樹脂成形品１０の加飾部分を成形する加飾面成形部５３が設けられている。前記加飾面成形部５３は円形の平面形状を有し、さらに、前記樹脂成形品１０の加飾部分を凸状の曲面とするために、凹状の曲面に形成されている。前記加飾面成形部５３の周囲の平坦な面が前記保持部５２となっている。
【００２５】
前記凹部５１内に前記加飾シート１を挿入した時に確実に保持するために、前記保持部５２の部分に吸引溝を設けることも可能である。前記吸引溝は、例えば、前記加飾面成形部５３を囲むように環状に配置することができ、前記吸引溝によって前記加飾シート１を吸引することにより、前記キャビティ５と前記コア６とを組み合わせるまでの間、確実に前記保護シート１を保持することが可能となる。
【００２６】
前記コア６は、図４に示すように、前記コア６を前記キャビティ５と組み合わせる際に、前記キャビティ５の凹部５１内に挿入される凸部６１を有している。前記凸部６１は前記凹部５１に嵌合される形状を有しており、図４に示すように、前記凸部６１の先端の表面には、前記樹脂成形品１０を成形するための成形部６２が設けられており、前記成形部６２の開口の周囲に平坦な保持部６３が設けられている。前記成形部６２の開口の形状は、前記樹脂成形品１０の加飾部分の平面形状（本実施形態では円形）となっている。
【００２７】
前記コア６を前記キャビティ５と組み合わせるために、前記コア６の凸部６１を前記キャビティ５の凹部５１に挿入すると、前記コア６の保持部６３は前記キャビティ５の保持部５２と当接し、この時、図６（ｂ）に示すように、前記保持部６３と前記保持部５２とによって、前記加飾シート１の挟持部２２の部分を挟み込むことにより、前記加飾シート１を所定の位置で固定することができる。
【００２８】
前記金型には、シートインサート成形に必要な樹脂を射出するゲートなどが設けられているが、このような射出成形に必要な従来の構造については、従来の金型の様々な構造を用いることができることから、図示しておらず、詳細な説明は省略している。前記金型については、前記樹脂成形品１０の形状に合わせて様々な形状および構造に変更することや、彫刻などの加工を施すことにより、様々な模様を形成することができる。
【００２９】
前記キャビティ５の凹部５１および前記コア６の凸部６１の平面形状に関しては、本実施形態では矩形としているが、特に限定するものではなく、樹脂成形品の形状に合わせて変更することが可能である。ただし、前記加飾シート１を前記凹部５１に挿入することにより位置決めが行われる必要があることから、前記加飾シート１の位置決めが可能な形状であればよく、円形とすることは好ましくない。
【００３０】
前記凹部５１の先端の前記加飾面成形部５３の形状は、前記樹脂成形品１０の加飾部分の表面の形状に合わせて変更することができ、本実施形態のような凹状の曲面だけでなく、凸状の曲面なども可能であり、射出成形の際に、前記加飾シート１が追従して変形可能な形状であればよい。
【００３１】
本発明の第１の実施形態の樹脂成形品の製造方法について説明する。第１の実施形態の樹脂成形品の製造方法は、前記加飾シート１および前記金型を用いて、蓋である樹脂成形品１０をインサート成形し、前記樹脂成形品１０の表面を加飾する製造方法である。図１に示すような、所定のデザインで加飾した前記加飾シート１を用意し、図５（ａ），（ｂ）に示すように、前記金型のキャビティ５の凹部５１内に前記加飾シート１を挿入し、前記凹部５１内の前記保持部５２の表面に前記加飾シート１を配置する。
【００３２】
前記加飾シート１は、前記保護フィルム３が内側となり、前記キャビティ５の保持部５２と当接する状態で前記凹部５１内に挿入する。前記加飾シート１を前記凹部５１に挿入し前記保持部５２と当接するように配置すると、図５（ｂ）に示すように、前記加飾シート１の加飾フィルム２の加飾部２１は、前記キャビティ５の加飾面成形部５３と重なるように配置される。この時、前記金型の凹部５１の平面形状と、前記加飾シート１の平面形状が同じであることから、前記加飾シート１の向きを確認し前記凹部５１内に挿入するだけで、前記加飾シート１を正確に所定の位置に正確に配置することができ、前記加飾部２１は前記加飾面成形部５３と正確に重なった状態となる。この時、前記保持部５２に前記吸引溝が設けられていれば、前記加飾シート１をより確実に保持した状態を維持することができるようになる。
【００３３】
前記加飾シート１を前記凹部５１に挿入した後、前記コア６を前記キャビティ５と組み合わせて前記金型を組み立てるために、図５（ｃ），図６（ａ）に示すように、前記コア６の凸部６１を前記キャビティ５の凹部５１内に挿入する。前記凸部６１を凹部５１内に挿入すると、図６（ａ）に示すように、前記凸部６１の先端は前記加飾シート１の加飾フィルム２と当接して、前記加飾シート１の挟持部２２の部分が、前記キャビティ５の保持部５２と前記コア６の保持部６３とによって挟まれて、前記加飾シート１が固定された状態となる。
【００３４】
この時、前記キャビティ５の凹部５１内に設けられた加飾面成形部５３は、前記加飾シート１の前記保護フィルム３と前記加飾部２１とを介して、前記コア６の成形部６２の開口と重なるように位置しているが、前記加飾面成形部５３は凹状の曲面を有していることにより、図６（ａ）の断面図に示すように、前記加飾シート１とは当接しておらず、前記加飾面成形部５３と前記加飾シート１の保護フィルム３との間には隙間が生じた状態となっている。前記加飾面成形部５３が平坦な場合にはこのような隙間は生じない。
【００３５】
このようにして、前記キャビティ５と前記コア６を組み合わせて前記金型を組み立てて、前記キャビティ５の保持部５２と前記コア６の保持部６３とによって前記加飾シート１の挟持部２２を挟み込んだ状態で、前記キャビティ５と前記コア６とを互いに固定すると、前記加飾シート１は、前記金型内において所定の位置に正確に位置決めされた状態で強固に固定される。
【００３６】
このようにして前記加飾シート１を前記金型内に固定した後、前記金型の前記成形部６２内にゲートを通じて樹脂を射出し、前記樹脂成形品１０を射出成形する。前記金型内にゲートから射出された樹脂は、前記成形部６２内に射出されて、前記加飾シート１の加飾フィルム２の加飾部２１を前記キャビティ５の前記加飾面成形部５３へと押圧し、図６（ｂ）に示すように、前記樹脂成形品１０の加飾部分が成形される。
【００３７】
この時、前記加飾部２１は、前記切り込み２３によって前記挟持部２２とは分離されていることから、前記加飾フィルム２は、前記加飾部２１だけが前記樹脂成形品１０の加飾部分に合わせて変形し、前記加飾部２１が付着されている前記保護フィルム３については、前記加飾部２１が付着された部分が弾性変形する。このように、本発明の樹脂成形品の製造方法は、前記加飾フィルム２の加飾部２１が、前記切り込み２３によって前記挟持部２２と分離されていることから、前記挟持部２２は固定された状態で、前記加飾部２１だけが変形できることから、曲面を加飾した場合に、前記加飾フィルム２に皺などが生じにくいという効果を奏する。
【００３８】
さらに、本実施形態の樹脂成形品の製造方法は、前記加飾フィルム２の加飾部２１の表面が前記保護フィルム３によって保護されていることによって、射出成形の際に前記加飾部２１の表面に樹脂が回り込むことを防止することができ、前記樹脂成形品１０の加飾面を綺麗に仕上げることができるという効果を奏する。また、前記加飾部２１が前記保護フィルム３と付着されていることにより、前記加飾部２１が樹脂によって押され、動いて位置ずれが生じることを防止することができるという効果を奏する。
【００３９】
前記金型内への樹脂の射出が終わり、前記樹脂成形品１０の成形が完了したら、図７（ａ）に示すように、前記コア６を前記キャビティ５から取り外して前記金型の面を開放し、その後、図７（ｂ）に示すように、前記樹脂成形品１０を前記キャビティ５内から取り出す。前記樹脂成形品１０を取り出すと、図８に示すように、前記樹脂成形品１０に前記加飾シート１が付着した状態となっている。
【００４０】
このような状態の前記樹脂成形品１０から、前記加飾シート１を取り外すと、図９に示すように、前記樹脂成形品１０の表面には、前記加飾部２１が一体に成形されて加飾された状態の前記樹脂成形品１０が完成する。前記樹脂成形品１０から取り外した前記加飾シート１は、図９に示すように、前記加飾部２１が除去された状態となる。
【００４１】
前記加飾シート１を取り外す際、前記加飾部２１は前記切り込み２３によって分離されていることから、前記加飾シート１を引っ張る、あるいは、前記樹脂成形品１０を引っ張るだけで、前記加飾部２１を前記樹脂成形品１０の表面に残した状態で、簡単に前記樹脂成形品１０から取り外すことができる。そして、前記樹脂成形品１０の表面の前記加飾部２１の縁は綺麗にカットされた状態であることから、従来のように、樹脂成形後に加飾フィルムをカットする従来技術と比べると、前記樹脂成形品１０の加飾部分の精度および美観は向上し、そして、樹脂成形後の加飾フィルムをカットする工程が不要となることから、製造コストの低減につながる。
【００４２】
前記加飾シート１を前記樹脂成形品１０から取り外すタイミングは、前記樹脂成形品１０を前記金型から取り外した直後とする必要はなく、前記加飾シート１が不要となる工程まで、前記樹脂成形品１０から前記加飾シート１を取り外さないで、前記樹脂成形品１０の加飾部分を保護する保護シートとして使用することも可能である。
【００４３】
本発明の樹脂成形品の製造方法は、前記加飾シート１および前記金型を用いることにより、従来よりも簡単にかつ正確に加飾を行うことができるという優れた効果を奏し、さらに、前記樹脂成形品１０を成形後の工程は、前記加飾シート１を取り外すだけであることから、従来のような加飾シートの切断工程が不要となり、また、前記保護フィルム３によって樹脂成形前および樹脂成形中に前記加飾部２１を保護することで歩留まりが向上することにより、製造コストを低減することができるという優れた効果を奏する。
【００４４】
次に、第２の実施形態の樹脂成形品の製造方法について説明する。第２の実施形態で使用する加飾シート１は、第１の実施形態と同じものを使用することから、加飾シート１に関する説明は省略し、第２の実施形態の樹脂成形品の製造方法に使用する金型について説明する。前記金型は、コア７およびキャビティ８から構成されている。前記コア７は、図１０に示すように、前記加飾シート１を挿入し配置するための凹部７１が設けられており、前記凹部７１内に前記樹脂成形品１０を成形するための成形部７２、および、保持部７３が設けられている。
【００４５】
前記凹部７１は、前記加飾シート１を挿入し、前記コア７に対して所定の位置に配置するために設けられていることから、前記加飾シート１と同じ平面形状を有している。前記凹部７１内に前記成形部７２の開口が位置しており、前記開口の形状は、前記樹脂成形品１０の加飾部分の平面形状（本実施形態では円形）となっている。前記凹部７１内には、前記開口の周囲に前記保持部７３が設けられている。前記凹部７１内に挿入した前記加飾シート１を確実に保持するために、前記保持部７３の部分に吸引溝を設けることも可能である。例えば、前記成形部７２の開口を囲むように環状に配置した前記吸引溝によって前記加飾シート１を吸引することにより、前記コア７と前記キャビティ８とを組み合わせるまでの間、確実に前記保護シート１を保持することが可能となる。
【００４６】
前記キャビティ８は、図１１に示すように、前記キャビティ８を前記コア７と組み合わせる際に、前記コア７の凹部７１内に挿入される凸部８１を有している。前記凸部８１は前記凹部７１に嵌合される形状を有しており、図１１に示すように、前記凸部８１の先端の表面には、前記コア７の保持部７３と当接する保持部８２、および、前記成形部７２の開口を塞ぎ、前記樹脂成形品１０の加飾部分を成形する加飾面成形部８３が形成されている。前記加飾面成形部８３は円形の平面形状を有し、さらに、前記樹脂成形品１０の加飾部分を凸状の曲面とするために、凹状の曲面に形成されている。
【００４７】
前記キャビティ８を前記コア７と組み合わせるために、前記キャビティ８の凸部８１を前記コア７の凹部７１に挿入すると、前記キャビティ８の保持部８２は前記コア７の保持部７３と当接し、この時、図１３（ｂ）に示すように、前記保持部８２と前記保持部７３とによって、前記加飾シート１の挟持部２２の部分を挟み込むことにより、前記加飾シート１を所定の位置で固定することができる。
【００４８】
前記金型には、シートインサート成形に必要な樹脂を射出するゲートなどが設けられているが、このような射出成形に必要な従来の構造については、従来の金型の様々な構造を用いることができることから、図示しておらず、また、詳細な説明は省略している。前記金型については、前記樹脂成形品１０の形状に合わせて様々な形状および構造に変更することができる。
【００４９】
前記コア７の凹部７１および前記キャビティ８の凸部８１の平面形状に関しては、本実施形態では矩形としているが、特に限定するものではなく、樹脂成形品の形状に合わせて変更することも可能である。ただし、前記加飾シート１を前記凹部７１に挿入することにより位置決めが行われる必要があることから、前記加飾シート１の位置決めが可能な形状であればよく、円形とすることは好ましくない。
【００５０】
前記凸部８１の先端の前記加飾面成形部８３の形状は、前記樹脂成形品１０の加飾部分の表面の形状に合わせて変更することができ、本実施形態のような凹状の曲面だけでなく、凸状の曲面なども可能であり、射出成形の際に、前記加飾シート１が追従して変形可能な範囲での湾曲形状、または、その他の形状とすることができる。
【００５１】
本発明の第２の実施形態の樹脂成形品の製造方法について説明する。第２の実施形態の樹脂成形品の製造方法は、第１の実施形態と同様に、前記加飾シート１および前記金型を用いて、蓋である樹脂成形品１０をインサート成形し、前記樹脂成形品１０の表面を加飾する製造方法である。図１に示すような、所定のデザインで加飾した前記加飾シート１を用意し、図１２（ａ），（ｂ）に示すように、前記金型のコア７の凹部７１内に前記加飾シート１を挿入し、前記凹部７１の保持部７３の表面に前記加飾シート１を配置する。
【００５２】
前記加飾シート１は、前記保護フィルム３が外側となり、前記加飾フィルム２が前記コア７の保持部７３と当接するように前記凹部７１内に挿入する。前記加飾シート１を前記凹部７１に挿入し配置すると、図１２（ｂ）に示すように、前記加飾シート１の加飾フィルム２の加飾部２１は、前記コア７の成形部７２の開口と重なるように配置される。この時、前記金型の凹部７１の平面形状と、前記加飾シート１の平面形状が同じであることから、前記加飾シート１の向きを確認し前記凹部７１内に挿入するだけで、前記加飾シート１を正確に所定の位置に配置することができ、前記加飾部２１は成形部７２の開口と正確に重なった状態となる。
【００５３】
前記加飾シート１を前記凹部７１に挿入した後、前記キャビティ８を前記コア７と組み合わせて前記金型を組み立てるために、図１２（ｃ），図１３（ａ）に示すように、前記キャビティ８の凸部８１を前記コア７の凹部７１内に挿入する。前記凸部８１を凹部７１内に挿入すると、図１３（ａ）に示すように、前記凸部８１の先端は前記加飾シート１の保護フィルム３と当接して、前記加飾シート１の挟持部２２の部分が、前記コア７の保持部７３と前記キャビティ８の保持部８２とによって挟まれて、前記加飾シート１が固定された状態となる。
【００５４】
この時、前記凸部８１の先端に設けられた前記加飾面成形部８３は、前記加飾シート１の加飾部２１と前記保護フィルム３を介して、前記コア７の成形部７２の開口と重なるように位置しているが、前記加飾面成形部８３は凹状の曲面を有していることにより、図１３（ａ）の断面図に示すように、前記加飾シート１とは当接しておらず、前記加飾面成形部８３と前記加飾シート１の保護フィルム３との間には隙間が生じた状態となっている。前記加飾面成形部８３が平坦な場合にはこのような隙間は生じない。
【００５５】
このようにして、前記コア７と前記キャビティ８を組み合わせて前記金型を組み立てて、前記コア７の保持部７３と前記キャビティ８の保持部８２とによって前記加飾シート１の挟持部２２を挟み込んだ状態で、前記コア７と前記キャビティ８とを互いに固定すると、前記加飾シート１は、前記金型内において所定の位置に正確に位置決めされた状態で強固に固定される。
【００５６】
このようにして前記加飾シート１を前記金型内に固定した後、前記金型の前記成形部７２内にゲートを通じて樹脂を射出し、前記樹脂成形品１０を射出成形する。前記金型内にゲートから射出された樹脂は、前記成形部７２内に射出されて、前記加飾シート１の加飾フィルム２の加飾部２１を前記キャビティ８の前記加飾面成形部８３へと押圧し、図１３（ｂ）に示すように、前記樹脂成形品１０の加飾部分が成形される。
【００５７】
この時、前記加飾部２１は、前記切り込み２３によって前記挟持部２２とは分離されていることによって、本発明の樹脂成形品の製造方法は、曲面を加飾した場合に、前記加飾フィルム２に皺などが生じにくいという効果を奏する。また、本発明の樹脂成形品の製造方法は、前記加飾シート１の加飾フィルム２が保護フィルム３で保護されていることによって、射出成形の際に前記加飾部２１の表面に樹脂が回り込むことを防止し、前記樹脂成形品１０の加飾面を綺麗に仕上げることができるという効果を奏し、さらに、前記加飾部２１が樹脂によって押され、動いて位置ずれが生じることを防止することができるという効果を奏する。
【００５８】
前記金型内への樹脂の射出が終わり、前記樹脂成形品１０の成形が完了したら、図１４（ａ）に示すように、前記キャビティ８を前記コア７から取り外して前記金型の面を開放し、その後、図１４（ｂ）に示すように、前記樹脂成形品１０を前記コア７の凹部７１内から取り出す。前記樹脂成形品１０を取り出すと、図８に示すように、前記樹脂成形品１０に前記加飾シート１が付着した状態となっている。
【００５９】
この後は、第１の実施形態と同様に、前記樹脂成形品１０から、前記加飾シート１を取り外すと、図９に示すように、表面に前記加飾部２１が一体に成形されて加飾された状態の前記樹脂成形品１０が完成する。前記樹脂成形品１０から取り外した前記加飾シート１は、図９に示すように、前記加飾部２１が除去された状態となる。
【００６０】
前記加飾シート１を取り外す際、前記切り込み２３を設けていることによって、前記加飾シート１を引っ張る、あるいは、前記樹脂成形品１０を引っ張るだけで、前記保護フィルム３および前記加飾フィルム２の挟持部２２を簡単に、そして、綺麗に前記樹脂成形品１０から取り外すことができる。
【００６１】
前記加飾シート１を前記樹脂成形品１０から取り外すタイミングは、前記樹脂成形品１０を前記金型から取り外した直後、あるいは、前記加飾シート１が不要となる工程など様々なタイミングとすることができる。
【符号の説明】
【００６２】
１          加飾シート
２          加飾フィルム
２１        加飾部
２２        挟持部
２３        切り込み
３          保護フィルム
５，８      キャビティ
５１，７１  凹部
５２，７３  保持部
５３，８３  加飾面成形部
６，７      コア
６１，８１  凸部
６２，７２  成形部
６３，８２  保持部
１０，１０’  樹脂成形品
【図１】
2020185745.tif 000003
【図２】
2020185745.tif 000004
【図３】
2020185745.tif 000005
【図４】
2020185745.tif 000006
【図５】
2020185745.tif 000007
【図６】
2020185745.tif 000008
【図７】
2020185745.tif 000009
【図８】
2020185745.tif 000010
【図９】
2020185745.tif 000011
【図１０】
2020185745.tif 000012
【図１１】
2020185745.tif 000013
【図１２】
2020185745.tif 000014
【図１３】
2020185745.tif 000015
【図１４】
2020185745.tif 000016